(57)【要約】【課題】本発明は、ＯＦＤＭを用いる無線システムにおいて、周波数利用効率の低下や、干渉を発生させることなく、移動局間直接通信を行うことができる移動局装置を提供することを課題とする。【解決手段】基地局１との間で通信を行う「基地局間通信」モードと、基地局１を介すことなく他の移動局２ａ〜２ｄと直接通信を行う「移動局間直接通信」モードとを切り換える切り換え回路を具備し、「基地局間通信」モードでは、センターキャリアをキャリアホールとしたＯＦＤＭ信号を用いて通信を行い、「移動局間直接通信」モードでは、ＯＦＤＭ信号のセンターキャリアのみを用いて通信を行う。また、「移動局間直接通信」モードでは、「基地局間通信」モードで実行される第１の変調方式よりも1シンボルあたりのｂｉｔを少ないＢＰＳＫ等の誤り耐性に優れる第２の変調方式で変調させ、複素ベースバンド信号を生成する。【選択図】        図１
2010206658.tif 000002
【特許請求の範囲】
【請求項１】
基地局との間でデジタル無線通信を行う移動局に備えられ、情報符号の変復調を行う移動局装置であって、
前記基地局との間で通信を行う基地局間通信モードと、前記基地局を介すことなく他の前記移動局と直接通信を行う移動局間直接通信モードとを切り換える切り換え手段を具備し、
該切り換え手段によって前記基地局間通信モードが設定されている場合には、センターキャリアをキャリアホールとしたＯＦＤＭ信号を用いて通信を行い、
前記切り換え手段によって前記移動局間直接通信モードが設定されている場合には、前記ＯＦＤＭ信号の前記センターキャリアのみを用いて通信を行うことを特徴とする移動局装置。
【発明の詳細な説明】
【技術分野】
【０００１】
本発明は、基地局との間でデジタル無線通信を行う移動局装置に関し、特に直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いて基地局との間でデジタル無線通信を行う移動局装置に関する。
【背景技術】
【０００２】
基地局と複数の移動局により構成される無線システムとしては、例えば、ＭＣＡ（Ｍｕｌｔｉ−Ｃｈａｎｎｅｌ  Ａｃｃｅｓｓ）システムや公共業務用デジタル移動通信システム等がある。これらの無線通信システムでは、基地局を介さずに移動局間で通信を行うための移動局間直接通信と呼ばれる通信方法が標準規格として規定されている。移動局間直接通信は、基地局を介して通信を行う通常の通信（以下、基地局間通信と称す）とは異なる周波数チャネルを個別にわりあて、時分割複信（ＴＤＤ：Ｔｉｍｅ  Ｄｉｖｉｓｉｏｎ  Ｄｕｌｐｅｘ）もしくは単信にて通信を行うものである（例えば、非特許文献１参照）。
【０００３】
直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）と呼ばれる多元接続方式を採用するＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）においては、移動局と基地局の間の通信のみが規定されており、移動局間直接通信の機能は仕様として存在しない。ＷｉＭＡＸシステムにおいて移動局間直接通信を実現するためには、例えば、前述の公共業務用デジタル通信システムと同様に、移動局間直接通信用に別の周波数チャネルを用意する等の方法が考えられる。また、基地局間通信と同じ周波数帯で移動局間直接通信を実現することを考えた場合には、移動局に基地局に準ずるＴＤＤ同期のマスタとしての機能を実装して、基地局および他の移動局と連携して同１システム内に干渉が発生しないような無線リソース管理を行う必要がある。
【０００４】
また、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いるその他の通信システムとして無線ＬＡＮ（ＷｉＦｉ：Ｗｉｒｅｌｅｓｓ  Ｆｉｄｅｌｉｔｙ）が広く普及している。ＷｉＦｉは基地局として動作してネットワークに接続するアクセスポイントと、１つ以上の移動局で通信を行う無線システムであり、同１の周波数チャネルを複数の移動局とアクセスポイントで共有するＣＳＭＡ−ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）とよばれる方式で通信を行う仕様になっている。移動局間直接通信に相当するモードとして、アドホックモードが規定されているが、１つの無線チャネルでは二つの移動局間で１対１の通信のみ可能とする仕様になっており、周波数利用効率の観点では移動局間直接通信用の専用周波数チャネルを用意した場合と同等の効率になる。
【０００５】
また、時分割多元接続（ＴＤＭＡ：Ｔｉｍｅ  Ｄｉｖｉｓｉｏｎ  Ｍｕｌｔｉｐｌｅ  Ａｃｃｅｓｓ）においても、基地局間通信の周波数チャネルと、移動局間直接通信の周波数チャネルはそれぞれ異なる周波数に設定されている（例えば、特許文献１参照）。
【先行技術文献】
【特許文献】
【０００６】
【特許文献１】特開２００２−３２５２８１号公報
【非特許文献】
【０００７】
【非特許文献１】電波産業会 標準規格“都道府県・市町村デジタル移動通信システム”ＡＲＩＢ  ＳＴＤ−Ｔ７９
【発明の概要】
【発明が解決しようとする課題】
【０００８】
上述のように基地局と複数の移動局により構成される従来の無線システムにおいて、移動局間直接通信を実現するためには、移動局間直接通信のための新たな周波数帯域を用意するか、移動局に基地局に準ずるＴＤＤ同期のマスタとしての機能を実装して、無線リソース管理を行う必要がある。
【０００９】
しかしながら、移動局間直接通信のための新たな周波数帯域を用意する場合には、周波数利用効率の劣化が避けられないという問題点があり、移動局に基地局に準ずるＴＤＤ同期のマスタとしての機能を実装することは、移動局における装置構成が複雑となり、実用的ではないという問題点がある。
【００１０】
本発明は、このような状況に鑑みてなされたものであり、ＯＦＤＭを用いる無線システムにおいて、周波数利用効率の低下や、干渉を発生させることなく、移動局間直接通信を行うことができる移動局装置を提供することを目的とする。
【課題を解決するための手段】
【００１１】
上記の課題を解決するために、本発明は、基地局との間で通信を行う基地局間通信モードと、基地局を介すことなく他の移動局と直接通信を行う移動局間直接通信モードとを切り換える切り換え手段を有し、切り換え手段によって基地局間通信モードが設定されている場合には、センターキャリアをキャリアホールとしたＯＦＤＭ信号を用いて通信を行い、切り換え手段によって移動局間直接通信モードが設定されている場合には、ＯＦＤＭ信号のセンターキャリアのみを用いて通信を行うことを特徴とする。
【発明の効果】
【００１２】
本発明の移動局装置によれば、基地局間通信モードでは、センターキャリアをキャリアホールとしたＯＦＤＭ信号を用いて通信を行い、移動局間直接通信モードでは、ＯＦＤＭ信号のセンターキャリアのみを用いて通信を行うように構成することにより、ＯＦＤＭを用いる無線システムのシステム帯域内に、基地局間通信と移動局間直接通信を同時に収容可能になるため、複雑な装置構成を採用することなく、周波数利用効率を向上させることができると共に、干渉の発生を防止した効率の良い移動局間直接通信を行うことができるという効果を奏する。
【図面の簡単な説明】
【００１３】
【図１】本発明に係る移動局装置の実施の形態が用いられる無線システム構成例を示すシステム構成図である。
【図２】図１に示す無線システムにおける基地局間通信および移動局間直接通信の周波数時間空間からみた無線リソース割当方法例を示す図である。
【図３】図１に示す基地局におけるＯＦＤＭ変復調装置の構成を示すブロック図である。
【図４】図１に示す無線システムにおける基地局間通信に用いられるセンターキャリアをキャリアホールとしたＯＦＤＭ信号例を示す図である。
【図５】図１に示す移動局におけるＯＦＤＭ変復調装置の構成を示すブロック図である。
【図６】図１に示す移動局におけるＯＦＤＭ変復調装置の通信モード切り換え動作を説明するためのフローチャートである。
【図７】図１に示す無線システムにおける移動局間直接通信に用いられるセンターキャリアのみをサブキャリアとしたＯＦＤＭ信号例を示す図である。
【発明を実施するための形態】
【００１４】
以下、本発明の実施の形態を図面に基づいて詳細に説明する。
図１は、本発明に係る移動局装置の実施の形態が用いられる無線システム構成例を示すシステム構成図であり、図２は、図１に示す無線システムにおける基地局間通信および移動局間直接通信の周波数時間空間からみた無線リソース割当方法例を示す図である。
【００１５】
本実施の形態は、図１を参照すると、少なくとも１つの基地局１と複数の移動局２ａ〜２ｄにより構成され、移動局２ａ〜２ｄ間の通信は基地局１を介して通信を行う「基地局間通信」と、２つの移動局２ａ〜２ｄ間で基地局１を介さずに通信を行う「移動局間直接通信」の二種類の通信モードを備えている。例えば、図１において、移動局２ａと移動局２ｂの間の基地局１を介した実線矢印で示す経路の通信が「基地局間通信」であり、移動局２ｃと移動局２ｄの間の基地局１を介さない実線矢印で示す経路の通信が「移動局間直接通信」である。
【００１６】
このような無線システムにおいて、「移動局間直接通信」と「基地局間通信」を同時刻に行った場合、図１に点線矢印で示す経路で干渉発生が予想される。そこで、本発明では、干渉対策として、センターキャリアをキャリアホールに設定したＯＦＤＭ信号により基地局間通信を実施し、センターキャリアのみ用いるＯＦＤＭ信号により移動局間直接通信を実施するように構成されている。なお、ＯＦＤＭは複数サブキャリアの直交関係を保って、周波数軸上に稠密にサブキャリアを配置するマルチキャリア変調方式であるが、センターキャリアに位置するサブキャリアで通信を行った場合、アナログ回路やデジタル信号処理に起因する直流オフセットの影響が雑音として現れることが知られている。従って、特に一次変調として１６ＱＡＭ（Ｑｕａｄｒａｔｕｒｅ  Ａｍｐｌｉｔｕｄｅ  Ｍｏｄｕｌａｔｉｏｎ）や６４ＱＡＭ等の多値変調を適用した場合に、直流オフセット軽減のための対策が必要になるため、ＷｉＭＡＸやＷｉＦｉ等では、センターキャリアをキャリアホールとして通信に使わない仕様としている。
【００１７】
図２を参照すると、本発明の基地局間通信は、例えばＷｉＭＡＸに用いられる無線リソース割当方式の１つであるバンドＡＭＣ方式のＡＭＣユーザ数を２として、センターより上の周波数（図２に示す＊Ａ）を移動局２ａ用の通信に割り当て、センターより下の周波数（図２に示す＊Ｂ）を移動局２ｂ用の通信に割り当てた運用によく似ている。また、基地局間通信の複信方式としてＴＤＤを用いる場合は、図２に示すＴＤＬ区間でダウンリンク通信を行い、図２に示すＴＵＬ区間でアップリンク通信を行うような動作になる。また、移動局間直接通信は、基地局間通信のキャリアホール（図２に示す＊Ｃ）で通信を行う。複信方式はＴＤＤとしてもよいし、単信としても良い。このような無線リソース割当とすることで、基地局間通信と移動局間直接通信でお互いに干渉を与えることなく同時に通信が可能になる。
【００１８】
次に、基地局１におけるＯＦＤＭ変復調装置１０の構成について図３および図４を参照して詳細に説明する。
図３は、図１に示す基地局１におけるＯＦＤＭ変復調装置１０の構成を示すブロック図であり、図４は、図１に示す無線システムにおける基地局間通信に用いられるセンターキャリアをキャリアホールとしたＯＦＤＭ信号例を示す図である。
【００１９】
基地局１におけるＯＦＤＭ変復調装置１０は、図３を参照すると、変調回路１１、分配回路１２、ＩＦＦＴ回路１３および直交変調回路１４とからなる送信部と、直交検波回路１５、ＦＦＴ回路１６、結合回路１７および復調回路１８とからなる受信部とで構成されている。
【００２０】
情報符号を送信する際には、まず伝送する情報符号を変調回路１１にて１６ＱＡＭや６４ＱＡＭ等の直交振幅変調を行い、複素ベースバンド信号を生成する。変調回路１１で生成された複素ベースバンド信号は、分配回路１２に入力される。
【００２１】
分配回路１２は、直流に相当するサブキャリア成分としてゼロを入力し、その他のサブキャリア成分に入力された複素ベースバンド信号を入力することで、入力された複素ベースバンド信号をセンターキャリア以外の各サブキャリアに分配する。
【００２２】
センターキャリア以外の各サブキャリアに分配された複素ベースバンド信号は、ＩＦＦＴ回路１３で逆離散フーリエ変換され、その後、直交変調回路１４において直交変調されることで、周波数軸上で直交関係にあるＮ本のサブキャリアから成る直交周波数分割多重変調方式で多重化されたＯＦＤＭ信号が生成される。生成されたＯＦＤＭ信号は、図４に示すように、センターキャリアをキャリアホールとしたＯＦＤＭ信号となる。なお、図４に示す例では、サブキャリアの本数Ｎ＝７に相当し、点線で示すセンターキャリアはデータ送信に使用されないキャリアホールに設定され、センターキャリア以外の実線で示す６本のサブキャリアがデータ送信に使用されることになる。
【００２３】
ＯＦＤＭ信号が受信されると、受信されたＯＦＤＭ信号を直交検波回路１５で直交検波した後、ＦＦＴ回路１６において送信部のＩＦＦＴ回路１３と逆の処理であるフーリエ変換処理を行うことにより各サブキャリアの複素ベースバンド信号を復元する。
【００２４】
次に、結合回路１７において、ＦＦＴ回路１６によって復元された各サブキャリアの複素ベースバンド信号から、センターキャリア以外のサブキャリアに含まれる信号を抽出して結合させる。
【００２５】
最後に、復調回路１８において、結合回路１７によって結合された複素ベースバンド信号を変調回路１１における変調方式に対応する復調方式にて復調させ、情報符号が再生される。
【００２６】
次に、移動局２ａ〜２ｄにおけるＯＦＤＭ変復調装置２０の構成について図５を参照して詳細に説明する。
図５は、図１に示す移動局２ａ〜２ｄにおけるＯＦＤＭ変復調装置２０の構成を示すブロック図である。
【００２７】
移動局２ａ〜２ｄにおけるＯＦＤＭ変復調装置２０は、図５を参照すると、変調回路２１、分配回路２２、ＩＦＦＴ回路１３および直交変調回路１４とからなる送信部と、直交検波回路１５、ＦＦＴ回路１６、結合回路２７および復調回路２８とからなる受信部と、切り換えスイッチ２９と、切り換え回路３０と、識別信号生成回路３１と、識別信号検出回路３２と、で構成されている。なお、基地局１におけるＯＦＤＭ変復調装置１０と同一の構成については、同一の符号を付して説明を省略する。
【００２８】
変調回路２１は、基地局１におけるＯＦＤＭ変復調装置１０の変調回路１１と同一の第１の変調方式で情報符号を変調させる機能と、第１の変調方式よりも1シンボルあたりのｂｉｔを少ない第２の変調方式で情報符号を変調させる機能とを有する。変調回路２１は、切り換え回路３０によって「基地局間通信」モードに設定されている場合には、第１の変調方式で、切り換え回路３０によって「移動局間直接通信」モードに設定されている場合には、第２の変調方式でそれぞれ伝送する情報符号を変調させ、複素ベースバンド信号を生成する。第２の変調方式としては、１シンボルあたりの伝送情報が２ｂｉｔ以下の変調方式が好ましく、例えばＢＰＳＫ（Ｂｉｎａｒｙ  Ｐｈａｓｅ  Ｓｈｉｆｔ  Ｋｅｙｉｎｇ）等の誤り耐性に優れる変調方式が良い。
【００２９】
分配回路２２は、直流に相当するサブキャリア成分としてゼロを入力し、その他のサブキャリア成分に入力された複素ベースバンド信号を入力することで、入力された複素ベースバンド信号をセンターキャリア以外の各サブキャリアに分配する第１の分配方法を実行する機能と、直流に相当するサブキャリア成分にのみ複素ベースバンド信号を入力し、その他のサブキャリア成分にはゼロを入力することで、入力された複素ベースバンド信号をセンターキャリアのみに分配する第２の分配方法を実行する機能とを有する。分配回路２２は切り換え回路３０によって「基地局間通信」モードに設定されている場合には、第１の分配方法で、切り換え回路３０によって「移動局間直接通信」モードに設定されている場合には、第２の分配方法でそれぞれ入力された複素ベースバンド信号を各サブキャリア成分に分配する。
【００３０】
結合回路２７は、ＦＦＴ回路１６によって復元された各サブキャリアの複素ベースバンド信号から、センターキャリア以外のサブキャリアに含まれる信号を抽出する第１の抽出方法で抽出して結合させる機能と、センターキャリアのみに含まれる信号を抽出する第２の抽出方法で抽出する機能とを有する。結合回路２７は、切り換え回路３０によって「基地局間通信」モードに設定されている場合には、第１の抽出方法で、切り換え回路３０によって「移動局間直接通信」モードに設定されている場合には、第２の抽出方法でそれぞれ各サブキャリアに含まれる信号を抽出する。
【００３１】
復調回路２８は、変調回路２１における第１の変調方式に対応する第１の復調方式で複素ベースバンド信号を復調させる機能と、変調回路２１における第２の変調方式に対応する第２の復調方式で複素ベースバンド信号を復調させる機能とを有する。復調回路２８は、切り換え回路３０によって「基地局間通信」モードに設定されている場合には、第１の復調方式で、切り換え回路３０によって「移動局間直接通信」モードに設定されている場合には、第２の復調方式でそれぞれ複素ベースバンド信号を復調させる。
【００３２】
切り換えスイッチ２９は、「基地局間通信」と「移動局間直接通信」とを切り換えるためのスイッチであり、操作者によって操作される。
【００３３】
切り換え回路３０は、切り換えスイッチ２９によって「基地局間通信」への切り換えが操作されると、変調回路２１、分配回路２２、結合回路２７、復調回路２８および識別信号生成回路３１を「基地局間通信」モードに設定すると共に、切り換えスイッチ２９によって「移動局間直接通信」への切り換えが操作されるか、識別信号検出回路３２から検出信号が入力されると、変調回路２１、分配回路２２、結合回路２７、復調回路２８および識別信号生成回路３１を「移動局間直接通信」モードに設定する。
【００３４】
識別信号生成回路３１は、切り換え回路３０によって「移動局間直接通信」モードが設定されると、情報符号の送信に先立ち、「移動局間直接通信」であることを示す識別信号を直交変調回路１４に出力する。直交変調回路１４に入力された識別信号は、直交変調されて送信される。
【００３５】
識別信号検出回路３２は、ＯＦＤＭ信号が受信され、直交検波回路１５で直交検波された信号から識別信号を検出し、識別信号が検出されると、検出信号を切り換え回路３０に出力する。
【００３６】
次に、移動局２ａ〜２ｄにおけるＯＦＤＭ変復調装置２０の送受信動作について図６および図７を参照して詳細に説明する。
図６は、図１に示す移動局２ａ〜２ｄにおけるＯＦＤＭ変復調装置２０の通信モード切り換え動作を説明するためのフローチャートであり、図７は、図１に示す無線システムにおける移動局間直接通信に用いられるセンターキャリアのみをサブキャリアとしたＯＦＤＭ信号例を示す図である。
【００３７】
まず、ＯＦＤＭ変復調装置２０における通信モード切り換え動作について説明する。図６を参照すると、切り換え回路３０は、初期設定として変調回路２１、分配回路２２、結合回路２７、復調回路２８および識別信号生成回路３１を「基地局間通信」モードに設定する（ステップＡ１）
【００３８】
次に、「基地局間通信」モードにおいて、切り換え回路３０は、切り換えスイッチ２９の操作による「移動局間直接通信」への切り換えを監視すると共に（ステップＡ２）、識別信号検出回路３２からの検出信号の入力を監視しており（ステップＡ３）、切り換えスイッチ２９によって「移動局間直接通信」への切り換えが操作されるか、識別信号検出回路３２から検出信号が入力されると、変調回路２１、分配回路２２、結合回路２７、復調回路２８および識別信号生成回路３１を「移動局間直接通信」モードに設定する（ステップＡ４）。
【００３９】
次に、「移動局間直接通信」モードにおいて、切り換え回路３０は、切り換えスイッチ２９の操作による「基地局間通信」への切り換えを監視すると共に（ステップＡ５）、「移動局間直接通信」の終了を監視しており（ステップＡ６）、切り換えスイッチ２９によって「基地局間通信」への切り換えが操作されるか、「移動局間直接通信が終了すると、ステップＡ１に戻って変調回路２１、分配回路２２、結合回路２７、復調回路２８および識別信号生成回路３１を「基地局間通信」モードに設定する。
【００４０】
「基地局間通信」モードでの送信動作は、伝送する情報符号を変調回路２１にて第１の変調方式、すなわち基地局１におけるＯＦＤＭ変復調装置１０の変調回路１１と同一の変調方式で変調させ、複素ベースバンド信号を生成する。変調回路１１で生成された複素ベースバンド信号は、分配回路２２に入力され、分配回路２２は、第１の分配方法、すなわち基地局１におけるＯＦＤＭ変復調装置１０の分配回路１２と同一の分配方法で、入力された複素ベースバンド信号をセンターキャリア以外の各サブキャリアに分配する。
【００４１】
センターキャリア以外の各サブキャリアに分配された複素ベースバンド信号は、ＩＦＦＴ回路１３で逆離散フーリエ変換され、その後、直交変調回路１４において直交変調されることで、周波数軸上で直交関係にあるＮ本のサブキャリアから成る直交周波数分割多重変調方式で多重化されたＯＦＤＭ信号が生成される。
【００４２】
「基地局間通信」モードでの受信動作は、ＯＦＤＭ信号が受信されると、受信されたＯＦＤＭ信号を直交検波回路１５で直交検波した後、ＦＦＴ回路１６において送信部のＩＦＦＴ回路１３と逆の処理であるフーリエ変換処理を行うことにより各サブキャリアの複素ベースバンド信号を復元する。
【００４３】
次に、結合回路２７において、ＦＦＴ回路１６によって復元された各サブキャリアの複素ベースバンド信号から、センターキャリア以外のサブキャリアに含まれる信号を抽出する第１の抽出方法、すなわち基地局１におけるＯＦＤＭ変復調装置１０の結合回路１７と同一の抽出方法で抽出して結合させる。
【００４４】
最後に、復調回路２８において、結合回路１７によって結合された複素ベースバンド信号を第１の復調方式、すなわち基地局１におけるＯＦＤＭ変復調装置１０の復調回路１８と同一の復調方式で復調させ、情報符号が再生される。
【００４５】
「移動局間直接通信」モードでは、伝送する情報符号を変調回路２１にて第２の変調方式、すなわち第１の変調方式よりも1シンボルあたりのｂｉｔを少ないＢＰＳＫ等の誤り耐性に優れる変調方式で変調させ、複素ベースバンド信号を生成する。変調回路１１で生成された複素ベースバンド信号は、分配回路２２に入力され、分配回路２２は、第２の分配方法、すなわち直流に相当するサブキャリア成分にのみ複素ベースバンド信号を入力し、その他のサブキャリア成分にはゼロを入力することで、入力された複素ベースバンド信号をセンターキャリアのみに分配する。
【００４６】
センターキャリアのみに分配された複素ベースバンド信号は、ＩＦＦＴ回路１３で逆離散フーリエ変換され、その後、直交変調回路１４において直交変調されることで、周波数軸上で直交関係にあるＮ本のサブキャリアから成る直交周波数分割多重変調方式で多重化されたＯＦＤＭ信号が生成される。
【００４７】
生成されたＯＦＤＭ信号は、図７に示すように、センターキャリアのみをデータ送信に使用するＯＦＤＭ信号となる。なお、図７に示す例では、サブキャリアの本数Ｎ＝７に相当し、実線で示すセンターキャリアのみがデータ送信に使用され、センターキャリア以外の点線で示す６本のサブキャリアがデータ送信に使用されないことになる。
【００４８】
「移動局間直接通信」モードでの受信動作は、ＯＦＤＭ信号が受信されると、受信されたＯＦＤＭ信号を直交検波回路１５で直交検波した後、ＦＦＴ回路１６において送信部のＩＦＦＴ回路１３と逆の処理であるフーリエ変換処理を行うことにより各サブキャリアの複素ベースバンド信号を復元する。
【００４９】
次に、結合回路２７において、ＦＦＴ回路１６によって復元された各サブキャリアの複素ベースバンド信号から、第２の抽出方法、すなわちセンターキャリアのみに含まれる信号を抽出する。
【００５０】
最後に、復調回路２８において、結合回路１７によって結合された複素ベースバンド信号を第２の復調方式、すなわち変調回路２１における第２の変調方式に対応する復調方式で復調させ、情報符号が再生される。
【００５１】
以上実施の形態によれば、移動局２ａ〜２ｄは、基地局１との間で通信を行う「基地局間通信」モードと、基地局１を介すことなく他の移動局２ａ〜２ｄと直接通信を行う「移動局間直接通信」モードとを切り換える切り換え回路３０を具備し、「基地局間通信」モードでは、センターキャリアをキャリアホールとしたＯＦＤＭ信号を用いて通信を行い、「移動局間直接通信」モードでは、ＯＦＤＭ信号のセンターキャリアのみを用いて通信を行うことを特徴とする。この構成により、ＯＦＤＭを用いる無線システムのシステム帯域内に、基地局間通信と移動局間直接通信を同時に収容可能になるため、複雑な装置構成を採用することなく、周波数利用効率を向上させることができると共に、干渉の発生を防止した効率の良い移動局間直接通信を行うことができるという効果を奏する。
また、移動局２ａ〜２ｄは、送信する情報符号を基地局１と同一の第１の変調方式で変調させる機能と、送信する情報符号を第１の変調方式よりも1シンボルあたりのｂｉｔを少ない第２の変調方式（例えば、１シンボルあたりの伝送情報が２ｂｉｔ以下のＢＰＳＫ等の変調方式）で変調させる機能とを有する変調回路２１を設け、変調回路２１は、「基地局間通信」モードでは、送信する情報符号を第１の変調方式で変調させ、「移動局間直接通信」モードでは、送信する情報符号を第１の変調方式で変調させることを特徴とする。この構成により、直流オフセットの影響が雑音として現れることが知られているセンターキャリアを用いて「移動局間直接通信」を行っても、良好な通信を確立させることが可能となるという効果を奏する。
また、移動局２ａ〜２ｄは、切り換え回路３０によって「移動局間直接通信」モードが設定されると、情報符号の送信に先立ち、「移動局間直接通信」であることを示す識別信号を出力してＯＦＤＭ信号として送信させる識別信号生成回路３１と、受信されたＯＦＤＭ信号から識別信号を検出し、識別信号が検出されると、検出信号を切り換え回路３０に出力する識別信号検出回路３２とを設け、切り換え回路３０は、識別信号検出回路３２から検出信号が入力されると、「移動局間直接通信」モードに切り換えることを特徴とする。この構成により、受信側において、「基地局間通信」モードから「移動局間直接通信」モードへの自動的な切り換えができるという効果を奏する。
【００５２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同１構成要素には同１符号を付している。
【符号の説明】
【００５３】
１  基地局
２ａ〜２ｄ  移動局
１０  ＯＦＤＭ変復調装置
１１  変調回路
１２  分配回路
１３  ＩＦＦＴ回路
１４  直交変調回路
１５  直交検波回路
１６  ＦＦＴ回路
１７  結合回路
１８  復調回路
２０  ＯＦＤＭ変復調装置
２１  変調回路
２２  分配回路
２７  結合回路
２８  復調回路
２９  切り換えスイッチ
３０  切り換え回路
３１  識別信号生成回路
３２  識別信号検出回路
【図１】
2010206658.tif 000003
【図２】
2010206658.tif 000004
【図３】
2010206658.tif 000005
【図４】
2010206658.tif 000006
【図５】
2010206658.tif 000007
【図６】
2010206658.tif 000008
【図７】
2010206658.tif 000009